(57)【要約】【課題】  簡単な構成にて、設定変更部に為された不正を検出・報知すると共に設定値に対して行われた行為を正確に判断可能とする回胴式遊技機における不正検出装置の提供。【解決手段】  設定値を変更可能な設定変更部を本体内部に有し、設定変更部が、設定値の変更の可否を切替える設定変更切替手段と、設定変更切替手段により設定値が変更可能である状態において設定値を選択的に変更する設定値変更手段と、設定変更切替手段により設定値が変更可能である時のみ設定値を表示する設定値表示手段とを具備する回胴式遊技機における不正検出装置であって、設定変更切替手段の変更可否の切替えが為された旨の第一信号を検出する第一検出部と、設定値変更手段による設定値変更が為された旨の第二信号を検出する第二検出部と、第一・第二検出部より検出された第一・第二信号を受信し管理装置に送信する中央処理部を備える回胴式遊技機における不正検出装置である。【選択図】  図４
2007260267.tif 000002
【特許請求の範囲】
【請求項１】
利益付与確率に係る設定値を変更可能な設定変更部を本体内部に有し、
前記設定変更部が、前記設定値の変更の可否を切替える設定変更切替手段と、
該設定変更切替手段により前記設定値の変更が可能に切替えられている状態において、前記設定値を選択的に変更する設定値変更手段と、
前記設定変更切替手段により前記設定値の変更が可能に切替えられている時のみ、該設定値を表示する設定値表示手段とを具備してなる回胴式遊技機における不正検出装置であって、
前記設定変更切替手段の変更の可否の切替えが為された旨の第一の信号を検出する第一検出部と、
前記設定値変更手段による設定値の変更が為された旨の第二の信号を検出する第二検出部と、
前記第一検出部及び前記第二検出部より検出された前記第一の信号及び前記第二の信号を受信し管理装置に送信する中央処理部を備えていることを特徴とする回胴式遊技機における不正検出装置。
【請求項２】
前記中央処理部は、前記第一の信号及び前記第二の信号のうち、いずれか一方の信号のパルス幅を他方の信号のパルス幅と異ならせるように処理して前記管理装置に送信することを特徴とする請求項１記載の回胴式遊技機における不正検出装置。
【請求項３】
前記中央処理部は、前記第一の信号を受信してから所定時間経過するまでに前記第二の信号を受信しない場合は、前記第一の信号のみを前記管理装置に送信することを特徴とする請求項１記載の回胴式遊技機における不正検出装置。
【請求項４】
前記中央処理部は、前記第一の信号を受信してから所定時間経過するまでに前記第二の信号を受信した場合は、前記第一の信号と前記第二の信号を単一波上に合成して前記管理装置に送信することを特徴とする請求項１又は２記載の回胴式遊技機における不正検出装置。
【発明の詳細な説明】
【技術分野】
【０００１】
本発明は、回胴式遊技機における不正検出装置に関し、より詳しくは、利益付与確率に係る設定値を不正に確認する或いは不正に変更する所謂ゴト行為を検出・報知する回胴式遊技機における不正検出装置に関するものである。
【背景技術】
【０００２】
パチンコ店等の遊技場に設置される回胴式遊技機は、所定枚数のメダルを投入して遊戯を行うものである。
回胴式遊技機は、一般的には、遊戯を開始するスタートレバーと、多種類の絵柄が描かれた複数（通常は三つ）のリールと、各々のリールに対応した数のストップボタンとを備えており、遊戯者がスタートレバーを操作することにより、一斉にリールを回転させ、また、遊戯者が所望のタイミングにて各々のストップボタンを操作することにより、各ストップボタンに対応したリールを停止させるように構成されている。
この遊技機において、全てのリールを停止させ、有効な入賞ライン上に役を構成する絵柄の組み合わせを揃えると入賞となり、遊戯者は、所定枚数のメダルの獲得等、ボーナスを得ることができるようになっている。
【０００３】
ここで、回胴式遊技機は、入賞の発生条件として、スタートレバーの操作時等に回胴式遊技機の処理部で為される内部抽選に当選することを必要とし、この内部抽選に当選していなければ、遊戯者が有効な入賞ライン上に役を揃えるようにストップボタンを操作しても、リールを所定量多く回転させる等、役が揃わないように制御している。
この内部抽選に当選する確率は、遊戯者に対する利益付与の確率に大きく影響するため、通常、遊技場に設置される回胴式遊技機は、内部抽選の当選確率を設定値に応じて設定変更可能とする設定変更部を備えている。
この設定変更部によって、遊技場に設置される個々の回胴式遊技機の設定値をランダムに設定することにより、経営側としては、遊技場の経営をバランス良く保つことが可能となり、また、遊戯者としても、当選確率の高い遊技機を推測するといった楽しみを得ることができる。
【０００４】
設定変更部は、回胴式遊技機の筐体内部に設けられており、設定値の変更は、予め決められた手順でしか行えないようになっている。設定値の変更は、一般的には、遊技場の店員のみが所有する設定キーを、設定変更部に設けられるキー穴に挿入してＯＮ方向に回動した後、設定変更ボタンを押すことにより行われる。
【０００５】
しかしながら、近年、不正に設定値を確認する或いは設定値を変更するといった、所謂ゴト行為が問題となっている。
このような不正行為は、巧妙な手法により行われるため、常時発見することは困難なものである。
よって、このような不正行為が為された際に、これを即座に検出・報知することが重要であると言える。
【０００６】
このような不正行為の検出手段としては、例えば、設定変更を行うための回転式設定スイッチと、この設定スイッチの回転動作を検出する検出部を備え、設定キー以外による（例えば、針金等を使用した）設定変更に対してエラーを報知する技術を挙げることができる。（例えば、下記特許文献１参照）
【０００７】
しかしながら、このような不正検出の方法では、例えば、設定キーを所有する遊技場の関係者が単独で或いは不正行為者（所謂ゴト師）と共同で不正行為を行った場合、これを検出することができない。
また、設定キー以外による不正な設定変更を検出することはできても、設定値が確認されただけなのか、若しくは、設定値が変更（どのような値に変更）されたのかといった設定変更部における詳しい情報を入手することができず、この情報を得るためには、不正が為された回動式遊技機の一台一台をチェックする必要がある。
【０００８】
設定変更部における情報を入手する方策としては、設定値を表示する７セグメント表示器のセグメントの一つ一つに光センサを配設し、設定値の変更情報を判断する手法を挙げることができるが、これは、セグメントの一つ一つに光センサを配設しなければならないため、非常に複雑なものとなり制御が困難であり、光センサの一つが故障してしまうだけで設定値の変更情報を判断することができなくなる場合がある。また、この手法は、７セグメント表示器を用いた場合にしか適用することができず、例えば、設定値の表示手段として液晶モニタ等を使用した場合には適用できなくなってしまう。
【０００９】
【特許文献１】特開２００５−２３７４５９号公報
【発明の開示】
【発明が解決しようとする課題】
【００１０】
本発明は上記実情を鑑みてなされたものであって、簡単な構成にて、設定変更部において為された設定値の不正を検出・報知すると共に、設定値に対してどのような行為が為されたかを正確に判断可能とする回胴式遊技機における不正検出装置を提供することを目的とする。
【課題を解決するための手段】
【００１１】
請求項１に係る発明は、利益付与確率に係る設定値を変更可能な設定変更部を本体内部に有し、前記設定変更部が、前記設定値の変更の可否を切替える設定変更切替手段と、該設定変更切替手段により前記設定値の変更が可能に切替えられている状態において、前記設定値を選択的に変更する設定値変更手段と、前記設定変更切替手段により前記設定値の変更が可能に切替えられている時のみ、該設定値を表示する設定値表示手段とを具備してなる回胴式遊技機における不正検出装置であって、前記設定変更切替手段の変更の可否の切替えが為された旨の第一の信号を検出する第一検出部と、前記設定値変更手段による設定値の変更が為された旨の第二の信号を検出する第二検出部と、前記第一検出部及び前記第二検出部より検出された前記第一の信号及び前記第二の信号を受信し管理装置に送信する中央処理部を備えることを特徴とする回胴式遊技機における不正検出装置に関する。
【００１２】
請求項２に係る発明は、前記中央処理部は、前記第一の信号及び前記第二の信号のうち、いずれか一方の信号のパルス幅を他方の信号のパルス幅と異ならせるように処理して前記管理装置に送信することを特徴とする請求項１記載の回胴式遊技機における不正検出装置に関する。
【００１３】
請求項３に係る発明は、前記中央処理部は、前記第一の信号を受信してから所定時間経過するまでに前記第二の信号を受信しない場合は、前記第一の信号のみを前記管理装置に送信することを特徴とする請求項１記載の回胴式遊技機における不正検出装置に関する。
【００１４】
請求項４に係る発明は、前記中央処理部は、前記第一の信号を受信してから所定時間経過するまでに前記第二の信号を受信した場合は、前記第一の信号と前記第二の信号を単一波上に合成して前記管理装置に送信することを特徴とする請求項１又は２記載の回胴式遊技機における不正検出装置に関する。
【発明の効果】
【００１５】
請求項１に係る発明によれば、設定変更切替手段の変更の可否の切替えが為された旨の第一の信号を検出する第一検出部と、設定値変更手段による設定値の変更が為された旨の第二の信号を検出する第二検出部と、第一検出部及び第二検出部より検出された第一の信号及び第二の信号を受信し管理装置に送信する中央処理部を備えることにより、簡単な構成にて、設定変更部において為される行為を常時把握することが可能となる。
【００１６】
請求項２に係る発明によれば、中央処理部は、第一の信号及び第二の信号のうち、いずれか一方の信号のパルス幅を他方の信号のパルス幅と異ならせるように処理して管理装置に送信することにより、設定値の確認が為されたのか、設定値の変更が為されたのかを管理装置で即座に判断することが可能となり、また、設定値の変更が為された場合、設定値がどのように変更されたのかも判断することが可能となる。
【００１７】
請求項３に係る発明によれば、中央処理部は、第一の信号を受信してから所定時間経過するまでに第二の信号を受信しない場合は、第一の信号のみを管理装置に送信することにより、設定値の確認のみが為されたことを管理装置にて把握することが可能となる。
【００１８】
請求項４に係る発明によれば、中央処理部は、第一の信号を受信してから所定時間経過するまでに第二の信号を受信した場合は、第一の信号と第二の信号を単一波上に合成して管理装置に送信することにより、単一波において設定値の変更を把握できるため、管理装置における処理負担を軽減させることが可能となる。
【発明を実施するための最良の形態】
【００１９】
以下、本発明に係る回胴式遊技機における不正検出装置の好適な実施形態について、図面を参照しつつ説明する。図１は、本発明に係る回胴式遊技機における不正検出装置に適用される回胴式遊技機の一例を示す正面図であり、図２は、図１において、正面扉を開けた状態を示す概略正面図である。
以下、図１及び図２を参照しつつ説明する。
尚、図２において、正面扉の裏部分は、以下に記述する筐体部の説明のため省略する。
【００２０】
回胴式遊技機（１）は、図示される如く、筺体部（１Ａ）と、筺体部（１Ａ）を開閉可能に被覆する正面扉（１Ｂ）とから構成されている。
正面扉（１Ｂ）は、通常時、筐体部（１Ａ）を被覆した状態において、施錠手段（図示せず）により筐体部（１Ａ）にロックされ開放できないように構成されている。
【００２１】
回動式遊技機（１）は、一定の価値を有するメダルを複数枚使用して遊戯を行うものであり、パチンコ店等の遊技場に複数台設置されている。
回胴式遊技機（１）は、図１に示される如く、メダルを投入するメダル投入口（２）と、メダル投入口（２）に投入されたメダルを遊戯に使用する（賭ける）ＢＥＴボタン（３）と、ＢＥＴボタン（３）の操作により動作可能となり、遊戯を開始させるスタートレバー（４）と、スタートレバー（４）を操作する（遊戯を開始する）ことにより動作を開始する可変表示部（５）と、可変表示部（５）の動作を停止させるストップボタン（６１、６２、６３）とを備えている。
【００２２】
可変表示部（５）の内部には、外周面に多種類の絵柄が描かれた複数（図示例では三つ）のリール（５１、５２、５３）が回転可能に且つ、一線状に整列しており、スタートレバー（４）を操作することにより、回転を開始する。この際、リール（５１、５２、５３）は、図示しない駆動モータ等により、一定の回転数（例えば、８０〜９０ｒｐｍ）にて回転するように構成されている。
【００２３】
ストップボタン（６１、６２、６３）は、リール（５１、５２、５３）の各々に対応して設けられており、このストップボタン（６１、６２、６３）の各々を操作する（押す）ことにより、各リール（５１、５２、５３）の回転を停止させるように構成されている。即ち、ストップボタン（６１）を操作するとリール（５１）が停止し、ストップボタン（６２）を操作するとリール（５２）が停止し、ストップボタン（６３）を操作するとリール（５３）が停止するように制御されている。
【００２４】
また、可変表示部（５）には、メダルの賭け数に応じて有効化される複数の入賞ラインが設けられており、ストップボタン（６１、６２、６３）により、リール（５１、５２、５３）を全て停止させた際、有効化された入賞ラインに役を構成する絵柄の組み合わせが揃うと入賞が確定し、所定枚数のメダルの払い出し等、ボーナスが発生する。
獲得したメダルは、メダル払出口（７１）より払い出され、メダル受け皿（７２）に貯蔵される。
入賞ラインは、例えば、メダル一枚に付き一つが有効化されるようになっており、図示例の場合、メダル五枚にて全入賞ラインが有効化されるようになっている。
役を構成する絵柄の組み合わせは、回胴式遊技機の種類により別途設定されるので、説明は省略する。
【００２５】
また、回胴式遊技機（１）の筐体部（１Ａ）内部には、図２に示される如く、上述したリール（５１、５２、５３）と、リール（５１、５２、５３）の回転・停止の駆動等を制御するメイン基板（８）と、複数枚のメダルを貯蔵すると共に上述したボーナスに応じてメダル払出口（７１）にメダルを払い出すホッパ部（９）と、内部抽選の当選確率を設定値に応じて設定変更可能とする設定変更部（１０）とを具備している。
【００２６】
ここで、上記入賞を確定させるためには、単に役が揃うようにストップボタン（６１、６２、６３）を操作するだけではなく、スタートレバー（４）の操作時に処理される内部抽選に当選することが必要となる。つまり、内部抽選に当選していると、各リール（５１、５２、５３）は、ストップボタン（６１、６２、６３）の操作に対応して役が揃いやすく制御され、逆に、内部抽選に当選していないと、各リール（５１、５２、５３）は、役を揃えるようにストップボタン（６１、６２、６３）を操作しても、所定量（例えば、絵柄三つ分程度）多く回転するように制御される。
従って、内部抽選に当選するかどうかの確率が遊戯者に対する利益付与確率に大きく影響を及ぼすため、遊戯者と遊技場の損益のバランスを保つべく、回胴式遊技機（１）は、その一台一台が内部抽選の当選確率を設定値に応じて設定変更可能とする設定変更部（１０）を備えており、設定変更部（１０）によって、設定値がランダムに設定されている。
【００２７】
図３は、本発明に係る回胴式遊技機における不正検出装置に適用される設定変更部（１０）の概略正面図である。
【００２８】
設定変更部（１０）は、回胴式遊技機（１）の主電源部と一体となっており、設定値の変更の可否を切替える設定変更切替手段（１０１）と、設定変更切替手段（１０１）により設定値の変更が可能に切替えられている状態において、設定値を選択的に変更する設定値変更手段（１０２）と、設定変更切替手段（１０１）により設定値の変更が可能に切替えられている時のみ、設定値を表示する設定値表示手段（１０３）と、回胴式遊技機の主電源ボタン（１０４）とを具備している。
尚、設定変更部（１０）は、上記において、主電源部と一体としているが、主電源部と別体に構成することも当然可能である。
【００２９】
設定変更切替手段（１０１）は、設定値の変更の可否を切替える、つまり、ＯＮの状態にあるときのみ設定値の変更を許可し、ＯＦＦの状態にあるときは設定値の変更ができないように制御している。設定変更切替手段（１０１）は、図示の如く、キー穴（１０１Ａ）が形成されており、遊技場の関係者のみが所有する設定キー（図示せず）を挿入することにより回動可能に構成されている。
尚、この設定変更切替手段（１０１）の構成は、設定キーによるものに限定されず、例えば、ただ単なるプッシュボタン方式でも良いが、安全・防犯の対策を考慮すると設定キーによる構成が好ましい。
【００３０】
設定値変更手段（１０２）は、上述した設定変更切替手段（１０１）がＯＮの状態にある時のみ、使用可能となる所謂プッシュボタンであり、上記した内部抽選の当選確率の高低を示す設定値を複数段階に変更することを可能としている。
上記設定値は、例えば、６段階に設定可能であり、設定１が内部抽選の当選確率が最も低く、設定６が内部抽選の当選確率が最も高く構成される。
尚、設定値変更手段（１０２）は、プッシュボタンに限定されるものではなく、例えば、回動式のチャンネルスイッチにしても良い。
【００３１】
設定値表示手段（１０３）は、設定変更切替手段（１０１）がＯＮの状態にある時のみ設定値を点灯表示するものであり、設定値変更手段（１０２）を操作することにより表示を変更する。
設定値表示手段（１０３）は、図示例においては、７セグメント表示器により構成されているが、例えば、液晶表示器も使用できることは言うまでもない。
【００３２】
次に、設定変更部（１０）による設定値の変更手順について説明する。
回胴式遊技機（１）の通常モード（稼動状態）時、設定変更部（１０）は、主電源ボタン（１０４）がＯＮの状態であり、設定変更切替手段（１０１）がＯＦＦの状態となっている。また、設定値表示手段（１０３）は、無表示状態となっている。
【００３３】
先ず、遊技場の関係者のみが所有する設定キー（図示せず）を設定変更切替手段（１０１）に挿入し、ＯＮ方向へと回動する。これにより、設定値表示手段（１０３）が点灯し、現在の設定値を表示する。
次いで、主電源ボタン（１０４）をＯＦＦにした後、再度ＯＮにする。これにより、回胴式遊技機（１）が再起動し、設定変更モードへと移行する。
【００３４】
次いで、設定値変更手段（１０２）を操作し（押し）、所定の設定値へと変更する。この際、設定値表示手段（１０３）は、設定値変更手段（１０２）の操作に連動して、その表示を変更するように構成されている。
次いで、回胴式遊技機（１）の正面扉（１Ｂ）に設けられるスタートレバー（４）を操作することによって、設定値が決定される。スタートレバー（４）は遊戯を開始するためのものであるが、設定変更モードにおいては、決定キー（エンターキー）の役割を果たす。
最後に、設定変更切替手段（１０１）をＯＦＦにすることで、通常モードへと復帰する。
【００３５】
以上により構成される回胴式遊技機において為される設定値の不正確認及び不正変更を検出・判断するための手法について、以下説明する。
図４は、本発明に係る回胴式遊技機における不正検出装置の構成を示す図である。
【００３６】
不正検出装置は、設定変更切替手段（１０１）の変更の可否の切替えが為された旨の第一の信号（１１１）を検出する第一検出部（１２１）と、設定値変更手段（１０２）による設定値の変更が為された旨の第二の信号（１１２）を検出する第二検出部（１２２）と、第一検出部（１２１）及び第二検出部（１２２）より検出された第一の信号（１１１）及び第二の信号（１１２）を受信し、パソコン等の管理装置（１３）に送信する中央処理部（１４）を備えている。
【００３７】
このことにより、簡単な構成にて、設定変更部において為される行為を常時把握することが可能となる。つまり、遊技場の関係者が業務として設定変更を行うことはもちろんのこと、遊技場の関係者が（ゴト師と共同して）不正に設定変更を行うことも把握することが可能となる。
【００３８】
第一検出部（１２１）は、設定変更切替手段（１０１）の内部回路上に設けられる所謂電流センサであり、設定変更切替手段（１０１）のＯＮ・ＯＦＦ時に流れる或いは断たれる電気信号、即ち、第一の信号（１１１）を検出するように構成されている。
第一検出部（１２１）により検出された第一の信号（１１１）は、中央処理部（１４）へと送信される。
【００３９】
第二検出部（１２２）は、第一検出部（１２１）と同様、電流センサであり、設定値変更手段（１０２）の内部回路上に設けられ、設定値変更手段（１０２）が操作された（押された）時に流れる電気信号、即ち、第二の信号（１１２）を検出するように構成されている。
第二検出部（１２２）により検出された第二の信号（１１２）は、中央処理部（１４）へと送信される。
【００４０】
中央処理部（１４）は、コンピュータ等に用いられるＣＰＵ（Central Processing Unit）と同様のものであり、第一検出部（１２１）及び第二検出部（１２２）と電気的に接続されており、第一検出部（１２１）及び第二検出部（１２２）より検出された第一の信号（１１１）及び第二の信号（１１２）を受信した後、これを回胴式遊技機（１）の外部、例えば遊技場の管理室等に設けられる管理装置（１３）に送信するように構成されている。
【００４１】
この際、中央処理部（１４）は、受信した第一の信号（１１１）及び第二の信号（１１２）を単一波上に合成すると共に第一の信号（１１１）及び第二の信号（１１２）のうち、いずれか一方の信号のパルス幅を他方の信号のパルス幅と異ならせるように処理を行う。
例えば、受信した第一の信号（１１１）及び第二の信号（１１２）のパルス幅が一秒であるとすると、第二の信号（１１２）のパルス幅を４倍、即ち４秒に中央処理部（１４）にて増幅処理する。
尚、上記した信号の合成処理及びパルス幅の処理は、記憶域（図示せず）に蓄積された公知のコンピュータプログラムを中央処理部（１４）が読み出すことにより為される。
【００４２】
このことにより、管理装置（１３）に送信される第一の信号（１１１）及び第二の信号（１１２）は、夫々が異なるパルス幅を有しているため、管理装置（１３）上での第一及び第二の信号（１１１、１１２）の区別が可能となる。従って、このパルス幅の異なる信号（１１１、１１２）を夫々機械的にカウントすることにより、設定変更切替手段（１０１）がＯＮ・ＯＦＦいずれの状態にあるのか、また、設定値変更手段（１０２）が何回操作されたのか、つまり、如何なる設定値に変更されたのかを確実に把握することができる。
【００４３】
従って、不正行為者が不正行為を判別しにくいように、例えば、設定変更切替手段（１０１）や設定値変更手段（１０２）を乱雑に操作しても、その行為全てを逐次カウントするので、操作後の状態を確実に判断することが可能となる。
尚、管理装置（１３）に送信される信号（１１１、１１２）はアラーム化して管理装置（１３）を扱う管理者にも即座に報知できるようにすることが好ましい。
【００４４】
また、管理装置（１３）に送信される信号（１１１、１１２）は、単一波で送信されるため、管理装置における処理に余計な負担をかけずに済む。これにより、例えば、図５に示す如く、複数（例えば、遊技場に複数列設置される回胴式遊技機の一列分）の回胴式遊技機（１００１、１００２、１００３、１００４、１００５、１００６、１００７）における不正検出の処理を一台の管理装置（１３）で行うにあたっても、管理装置（１３）における処理負担を最小限に抑制することができ、管理装置（１３）の処理速度を向上させることが可能となる。
【００４５】
更に、中央処理部（１４）は、第一の信号（１１１）を受信してから所定時間（例えば、５０〜６０秒）経過するまでに第二の信号（１１２）を受信しない場合は、第一の信号（１１１）のみを管理装置（１３）に送信するようにも制御されている。
これにより、管理装置（１３）上においては、設定値の確認のみが為されたと判断することができるので、即座に遊技機の設定値の再変更を行うことが可能となる。
尚、上記した制御は、例えば、第一検出部（１２１）と中央処理部（１４）の回路接続ライン上にタイマーを設け、中央処理部（１４）がコンピュータプログラムを読み出すようにして行えば良い。
【００４６】
以上の構成により、例えば、遊技場において業務として設定変更を行う時間以外の時間に管理装置（１３）にて信号を検出した場合は、信号が検出された（不正が行われた）回胴式遊技機或いは遊技場に警告信号を送信し、警報を鳴らすように構成することができる。
【００４７】
図６は本発明に係る回胴式遊技機における不正検出装置に関して、設定変更部を操作した時のタイミングチャートを示す概略図である。
以下、図６を参照しつつ、本発明に係る回胴式遊技機における不正検出装置に関する不正検出の流れについて詳述する。
【００４８】
図６において、三つある波のうち、上段は、第一検出部（１２１）から中央処理部（１４）に送信される波（Ｗ１）を示しており、中段は、第二検出部（１２２）から中央処理部（１４）に送信される波（Ｗ２）を示しており、下段は、実際に中央処理部（１４）から管理装置（１３）に送信される波（Ｗ３）を示している。
【００４９】
回胴式遊技機（１）の設定変更部（１０）は、稼動状態においては通常モード（Ｍ０）となっている。設定値の変更手順は、先に述べたとおりであるので、タイミングチャートにおいて、先ず、不正行為者が設定変更切替手段（１０１）をＯＮにした際、波（Ｗ１）上に第一の信号（１１１）が検出される。これと同時に、タイマー（Ｔ１）が作動し、また、設定変更部（１０）は通常モード（Ｍ０）から設定確認モード（Ｍ１）へと移行する。
【００５０】
タイマー（Ｔ１）は、例えば、５０〜６０秒程度に設定されており、この時間を経過すると、設定変更部（１０）は、通常モード（Ｍ０）へと復帰する。
このタイマー（Ｔ１）のタイムアップによる通常モード（Ｍ０）への復帰から、不正行為者が設定値の確認を行っただけということを判断することができる。
また、逆に、この時間内に、設定値変更手段（１０２）が操作されると、波（Ｗ２）上に第二の信号（１１２Ａ、１１２Ｂ、１１２Ｃ）が検出され、設定変更部（１０）は設定変更モード（Ｍ２）へと移行する。また、タイマー（Ｔ１）はキャンセルされ、タイマー（Ｔ２）が作動を開始する。
タイマー（Ｔ２）は、例えば、１０分程度に設定されており、この時間を経過すると、設定変更部（１０）は、通常モード（Ｍ０）へと復帰する。
このタイマー（Ｔ２）のタイムアップによる通常モード（Ｍ０）への復帰から、不正行為者が設定値の変更を行ったということを判断することができる。
尚、タイマーや設定変更部（１０）のモード切替は、中央処理部（１４）にて一括でコンピュータプログラム処理すれば良い。
【００５１】
以上により得られた波（Ｗ１、Ｗ２）は中央処理部（１４）にて、単一波（Ｗ３）に合成され、第二の信号（１１２Ａ、１１２Ｂ、１１２Ｃ）のパルス幅を、例えば４倍に増幅させて管理装置（１３）に送信される。
これにより、設定値の変更が行われた際、設定値がどのように変更されたのかを正確に判断することができる。例えば、図示例においては、第二の信号（１１２Ａ、１１２Ｂ、１１２Ｃ）は三回検出されていることから、設定値変更手段（１０２）が三回操作された（押された）こととなり、初期設定値が設定３であったとするならば、設定６に変更されたと判断することができる。
尚、波（Ｗ３）は、管理装置（１３）の処理速度が速ければ速いほど波（Ｗ１、Ｗ２）を夫々検出したタイミングに近いタイミングにて管理装置（１３）で受信される。
【産業上の利用可能性】
【００５２】
本発明は、回胴式遊技機における所謂ゴト行為を防止するための不正検出装置として好適に利用することができる。
【図面の簡単な説明】
【００５３】
【図１】本発明に係る回胴式遊技機における不正検出装置に適用される回胴式遊技機の一例を示す正面図である。
【図２】図１において、正面扉を開けた状態を示す概略正面図である。
【図３】本発明に係る回胴式遊技機における不正検出装置に適用される設定変更部の概略正面図である。
【図４】本発明に係る回胴式遊技機における不正検出装置の構成を示す図である。
【図５】本発明に係る回胴式遊技機における不正検出装置の構成の別形態を示す図である。
【図６】本発明に係る回胴式遊技機における不正検出装置に関して、設定変更部を操作した時のタイミングチャートを示す概略図である。
【符号の説明】
【００５４】
１      回胴式遊技機
１０    設定変更部
１０１  設定変更切替手段
１０２  設定値変更手段
１０３  設定値表示手段
１１１  第一の信号
１１２  第二の信号
１２１  第一検出部
１２２  第二検出部
１３    管理装置
１４    中央処理部
【図１】
2007260267.tif 000003
【図２】
2007260267.tif 000004
【図３】
2007260267.tif 000005
【図４】
2007260267.tif 000006
【図５】
2007260267.tif 000007
【図６】
2007260267.tif 000008